(57)【要約】【課題】固定フィンの強度の低下を防止し、正面形状の自由度を向上させ、送風の指向性の改善を図ることができるレジスタを提供する。【解決手段】可動フィン５が通風路７の略中央に、固定フィン１０の長手方向と平行な支軸６により回動可能に軸支される。固定フィン１０は、空気吹出口７の上方側に位置する第１固定フィン１１と空気吹出口７の下方側に位置する第２固定フィン１２とからなる。第１固定フィン１１と第２固定フィン１２は、その前縁部１１ｂ、１２ｂの上流側に、フィン部１１ａ，１２ａが略くの字に曲げて一体に形成される。第１固定フィン１１のフィン部１１ａは通風路７の上方の内壁１８側に曲げて形成され、第２固定フィン１２のフィン部１２ａは通風路７の下方の内壁１９側に曲げて形成される。【選択図】図２
2016013758.tif 000002
【特許請求の範囲】
【請求項１】
空気吹出口がケース本体の前部に設けられ、該空気吹出口の内側に、複数の固定フィンが並設され、該固定フィンの上流側の通風路内に可動フィンが両側の支軸を介して軸支されたレジスタにおいて、
該可動フィンは１枚のみ該通風路の略中央に、該固定フィンの長手方向と平行の支軸により回動可能に軸支され、
該固定フィンは、該空気吹出口の一方の側に位置する第１固定フィンと該空気吹出口の他方の側に位置する第２固定フィンとからなり、該第１固定フィンと該第２固定フィンは、前縁部の上流側にフィン部が略くの字に曲げて一体に形成され、
該第１固定フィンの該フィン部は、該通風路の一方の内壁側に向けて傾斜して形成され、該第２固定フィンの該フィン部は、該通風路の他方の内壁側に向けて傾斜して形成され、
該可動フィンの前縁部を該第１固定フィン側に振ったとき、送風時の空気流は、該可動フィンの前縁部付近で該第１固定フィン側に縮流された後、該第１固定フィンの該フィン部に沿った方向に向けて送風され、該可動フィンの前縁部を該第２固定フィン側に振ったとき、送風時の空気流は、該可動フィンの前縁部付近で該第２固定フィン側に縮流された後、該第２固定フィンの該フィン部に沿った方向に向けて送風されることを特徴とするレジスタ。
【請求項２】
前記固定フィンは、前記空気吹出口内に略均等な間隔で平行に配置された２本の第１固定フィンと２本の第２固定フィンからなり、該２本の第１固定フィンのフィン部の後縁部は前記通風路の一方の内壁側を向き、該２本の第２固定フィンのフィン部の後縁部は該通風路の他方の内壁側を向くように傾斜して配設されたことを特徴とする請求項１記載のレジスタ。
【請求項３】
前記２本の第１固定フィンと２本の第２固定フィンは、前記空気吹出口の中央横断線を境に一方の側と他方の側に分かれて配置され、該２本の第１固定フィンの全体の方向が該空気吹出口から他方の側を向き、該２本の第２固定フィンの全体の方向は該空気吹出口から一方の側を向くように構成されたことを特徴とする請求項２記載のレジスタ。
【請求項４】
前記可動フィンは、フィン本体が前記固定フィンの長手方向と平行に且つ軸線位置が前記中央横断線と平行に配設されるとともに、該フィン本体の両側に突設された支軸が前記通風路内の側壁に設けた軸受部に軸支され、該支軸が回動操作手段と連係されたことを特徴とする請求項３記載のレジスタ。
【発明の詳細な説明】
【技術分野】
【０００１】
本発明は、自動車等の空調装置の空気吹出口に使用される空気吹出調整用のレジスタに関し、特に空気吹出口に固定フィンを設けた構造のレジスタに関する。
【背景技術】
【０００２】
従来、空調装置の空気吹出調整用のレジスタとして、レジスタの正面（意匠面）を形成するベゼルに空気吹出口が設けられ、空気吹出口の内側に、ベゼルと一体に複数の横格子状の固定フィンが並設された構造のレジスタが、下記特許文献１により提案されている。
【０００３】
このレジスタは、空気吹出口に設けた横格子状の固定フィンの直ぐ上流側に、可動フィンが固定フィンと略平行に配置され、可動フィンは、その前縁部の両側に設けた支軸を介して回動可能に軸支され、可動フィンの前縁部と固定フィンの後縁部間は、非常に接近した状態で配置される。この構造によって、可動フィンを回動操作したとき、固定フィンの直後で可動フィンがその前縁部を支点に回動するようにし、レジスタを正面から見た場合、可動フィンの動きが固定フィンの陰に隠れて見えにくくなり、意匠性の向上を図るようにしている。
【先行技術文献】
【特許文献】
【０００４】
【特許文献１】特開２００６−１７０５０９号公報
【発明の概要】
【発明が解決しようとする課題】
【０００５】
しかしながら、この従来のレジスタは、送風時の圧力損失の低減や正面視の意匠性の改善のために、固定フィンの幅を細く形成するため、固定フィンの強度が低下しやすい課題があった。
【０００６】
また、このレジスタは、上述のように、横格子状の固定フィンの直ぐ上流側に、可動フィンが固定フィンと略平行に配置され、且つ前縁部の両側に設けた支軸を介して回動可能に軸支され、可動フィンの前縁部と固定フィンの後縁部間が、非常に接近した状態で配置される。
【０００７】
このため、デザイン上の要請から、ベゼルの正面形状が固定フィン、可動フィンの長手方向に沿って湾曲する曲面で形成される場合、固定フィン及び可動フィンも同様に湾曲して形成される。両側の支軸を支点に回動する可動フィンの前縁部が円弧状に湾曲して形成されると、前縁部の両側の支軸を介して回動する固定フィンは、支軸間の軸線を中心に回動する前縁部と固定フィンの後縁部との間隔が長手方向において大きく変わる。このために、可動フィンを回動させたとき、可動フィンの前縁部の位置が固定フィンの後縁部から大きく外れて回動し、圧力損失の増大や見栄えの悪化を招く不具合がある。
【０００８】
本発明は、上記の点に鑑みてなされたもので、固定フィンの強度の低下を防止し、正面形状の自由度を向上させ、送風の指向性の改善を図ることができるレジスタを提供することを目的とする。
【課題を解決するための手段】
【０００９】
本発明に係るレジスタは、空気吹出口がケース本体の前部に設けられ、該空気吹出口の内側に、複数の固定フィンが並設され、該固定フィンの上流側の通風路内に可動フィンが両側の支軸を介して軸支されたレジスタにおいて、
該可動フィンが１枚のみ該通風路の略中央に、該固定フィンの長手方向と平行な支軸により回動可能に軸支され、
該固定フィンは、該空気吹出口の一方の側に位置する第１固定フィンと該空気吹出口の他方の側に位置する第２固定フィンとからなり、該第１固定フィンと該第２固定フィンは、前縁部の上流側にフィン部が略くの字に曲げて一体に形成され、
該第１固定フィンの該フィン部は、該通風路の一方の内壁側に向けて傾斜して形成され、該第２固定フィンの該フィン部は、該通風路の他方の内壁側に向けて傾斜して形成され、
該可動フィンの前縁部を該第１固定フィン側に振ったとき、送風時の空気流は、該可動フィンの前縁部付近で該第１固定フィン側に縮流された後、該第１固定フィンの該フィン部に沿った方向に向けて送風され、該可動フィンの前縁部を該第２固定フィン側に振ったとき、送風時の空気流は、該可動フィンの前縁部付近で該第２固定フィン側に縮流された後、該第２固定フィンの該フィン部に沿った方向に向けて送風されることを特徴とする。
【００１０】
この発明によれば、可動フィンは、固定フィンから離れた上流側に配置されるので、固定フィンを含むケース本体の正面形状を、平面に代えて円弧状曲面で形成することができ、レジスタ正面のデザインの自由度を向上させることができる。
【００１１】
また、第１固定フィン、第２固定フィンは、前縁部から上流側に続くフィン部が略くの字に曲げて一体に形成されるので、空気吹出口内の固定フィンの前縁部を正面に向けて良好な意匠性を確保しつつ、前縁部の上流側に続くフィン部で送風時の風向を良好にガイドすることができ、且つ第１固定フィン、第２固定フィンの曲げ強度を向上させることができる。
【００１２】
さらに、１枚の可動フィンのみを備えた簡単な構造のレジスタであっても、可動フィンを振った際、空気吹出口の内側の固定フィンと可動フィンの協働作用によって、固定フィンのフィン部の向きに応じた方向に、指向性の良好な送風を行なうことができる。
【００１３】
ここで、上記固定フィンは、上記空気吹出口内に略均等な間隔で平行に配置された２本の第１固定フィンと２本の第２固定フィンからなり、２本の第１固定フィンのフィン部の後縁部は通風路の一方の内壁側を向き、２本の第２固定フィンのフィン部の後縁部は通風路の他方の内壁側を向くように傾斜して構成することが好ましい。
【００１４】
また、上記２本の第１固定フィンと２本の第２固定フィンは、空気吹出口の中央横断線を境に一方の側と他方の側に分かれて配置され、該２本の第１固定フィンの全体の方向は該空気吹出口から他方の側を向き、該２本の第２固定フィンの全体の方向は該空気吹出口から一方の側を向くように構成することが好ましい。
【００１５】
またここで、上記可動フィンは、そのフィン本体が上記固定フィンの長手方向と平行に且つその軸線位置が上記中央横断線と平行に配設されるとともに、フィン本体の両側に突設された支軸が該通風路内の側壁に設けた軸受部に軸支され、該支軸が回動操作手段と連係される構成とすることができる。
【発明の効果】
【００１６】
本発明のレジスタによれば、空気吹出口の内側に設けた固定フィンの強度の低下を防止し、正面形状の自由度を向上させ、送風の指向性の改善を図ることができる。
【図面の簡単な説明】
【００１７】
【図１】本発明の一実施形態を示すレジスタの正面図である。
【図２】同レジスタのII-II断面図である。
【図３】同レジスタのIII-III断面図である。
【図４】風向を真直ぐ正面に向けたときの縦断面説明図である。
【図５】風向を下側に向けたときの縦断面説明図である。
【図６】風向を上側に向けたときの縦断面説明図である。
【発明を実施するための形態】
【００１８】
以下、本発明の実施の形態を図面に基づいて説明する。図１〜図６に示すレジスタは、自動車等の車室内の空調装置に使用される空気吹出調整用のレジスタであり、ダクト状のケース本体１を備え、ケース本体１の正面に、意匠面を形成するベゼル２が設けられる。
【００１９】
ベゼル２の正面には、長方形状の空気吹出口３が形成され、ケース本体１内の通風路７を通して送られる風を、空気吹出口３から吹き出す構造である。図２に示すように、ケース本体１の通風路７から空気吹出口３に連通する部分は、ケース本体１内の上下の内壁１８，１９から空気吹出口３にかけて僅かに狭窄され、狭窄部１ａが形成されている。
【００２０】
ベゼル２正面の空気吹出口３には、図１に示すように、４本の固定フィン１０が水平横方向に所定の間隔をおいて並設されている。４本の固定フィン１０は、空気吹出口３の一方の側である上方に位置する２本の第１固定フィン１１と、空気吹出口３の他方の側である下方に位置する２本の第２固定フィン１２とから構成される。
【００２１】
２本の第１固定フィン１１は、その前縁部１１ｂが真直ぐ正面を向き、その上流側に一体に形成されるフィン部１１ａが上側に湾曲して内壁１８側を向き、全体としてフィンが斜め下側を向くように形成される。一方、２本の第２固定フィン１２は、その前縁部１２ｂが真直ぐ正面を向き、その上流側に一体に形成されるフィン部１２ａが下側に湾曲して内壁１９側を向き、全体としてフィンが斜め上側を向くように形成される。このように、固定フィン１０の上側２本の第１固定フィン１１が全体として斜め下方を向き、下側２本の第２固定フィン１２が全体として斜め上方を向くことにより、図４に示す如く、可動フィン５が水平ニュートラル状態（非傾斜状態）にあるとき、送風時、空気吹出口３から送風される空気流は、上下に広がることなく中央近傍に絞られて送風されるようになっている。
【００２２】
また、固定フィン１０の２本の第１固定フィン１１と２本の第２固定フィン１２は、図２に示すように、その横断面形状が、前縁部１１ｂ、１２ｂからフィン部１１ａ，１２ａにかけて略くの字状に湾曲するため、細く薄い形状であっても、充分な曲げ強度を持たせることができる。
【００２３】
ベゼル２の正面形状は、図２に示すように、縦方向に沿って前方に膨出する形態で湾曲し、且つ図３に示す如く左右横方向に沿って前方に膨出する形態で湾曲している。また、固定フィン１０の２本の第１固定フィン１１と２本の第２固定フィン１２の正面形状も、図３に示す如く、ベゼル２の正面形状と同様に左右横方向に湾曲して形成されている。さらに、図２に示すように、空気吹出口３の上部は後方に僅かに後退し、その下部は前方に僅かに突き出すように、傾斜して形成される。
【００２４】
なお、ベゼル２の正面形状は、デザイン上の要請から各種の形状に設計され、ここでは、その正面形状を湾曲させ且つ傾斜して形成されるが、ベゼル２の正面形状を平坦な垂直面（通風路の軸に対し）とし、空気吹出口３も同様に垂直面内に形成することもできる。
【００２５】
２本の第１固定フィン１１と２本の第２固定フィン１２は、図１に示すように、空気吹出口３の水平方向の中央横断線Ｓを境としてその両側に位置し、第１固定フィン１１は中央横断線Ｓの上側に、第２固定フィン１２は中央横断線Ｓの下側に配置される。また、２本の第１固定フィン１１と２本の第２固定フィン１２は、各々、上流側に延設されるフィン部１１ａとフィン部１２ａが、前縁部１１ｂ、１２ｂから略くの字に曲がる形状に一体に形成され、図２に示すように、フィン部１１ａとフィン部１２ａは相互に反対方向に湾曲し傾斜している。
【００２６】
つまり、フィン部１１ａとフィン部１２ａの前縁部１１ｂ、１２ｂは空気吹出口３上で正しく正面を向き、上側の２本の第１固定フィン１１のフィン部１１ａは、前縁部１１ｂから通風路７の上方の内壁１８側に向けて傾斜して形成され、下側の２本の第２固定フィン１２のフィン部１２ａは、前縁部１２ｂから通風路７の下方の内壁１９側に向けて傾斜して形成される。
【００２７】
固定フィン１０を構成する２本の第１固定フィン１１と２本の第２固定フィン１２は、空気吹出口３内において、略均等な間隔で平行に配置される。２本の第１固定フィン１１と２本の第２固定フィン１２の前縁部１１ｂ、１２ｂは、各々前方を向いて配置されるが、上側の２本の第１固定フィン１１のフィン部１１ａの後縁部は、通風路７の一方つまり上側の内壁１８側を向き、下側の２本の第２固定フィン１２のフィン部１２ａの後縁部は、通風路７の他方つまり下側の内壁１９側を向くように湾曲している。
【００２８】
また、２本の第１固定フィン１１と２本の第２固定フィン１２は、空気吹出口３の中央横断線Ｓを境に上側と下側に分かれて配置され、上側の２本の第１固定フィン１１の全体方向は、正面に向かって下方に傾斜し、下側の２本の第２固定フィン１２の全体方向は、正面に向かって上方に傾斜して配置される。
【００２９】
一方、図２に示すように、固定フィン１０の上流側の通風路７内には、可動フィン５が略中央位置に、固定フィン１０の長手方向と平行の支軸６により回動可能に軸支される。可動フィン５は、図３に示すように、フィン本体５ａが大型の平板状フィンとして形成され、１枚のみの可動フィン５は通風路７内の略中央に、上記中央横断線Ｓと平行に軸支される。
【００３０】
両端部を支軸６により軸支された可動フィン５は、その前縁部５ｂを上下に回動（傾動）可能に軸支され、可動フィン５を図５，６のように回動（傾動）させると、送風時、その前縁部５ｂ近傍で縮流部が形成され、縮流部の内壁１８または内壁１９の近傍で空気流が絞られる。このような可動フィン５の前縁部５ｂと固定フィン１０との間で生じる縮流部では、空気流が内壁１８または内壁１９の近傍で圧縮され、縮流を生じさせた状態で、空気流を固定フィン１０の第１固定フィン１１側に、または第２固定フィン１２側に送るようになっている。
【００３１】
また、図５，６に示すように、可動フィン５は、送風方向を下または上方向に変えるように可動フィン５の前縁部５ｂを上側または下側に振ったとき、可動フィン５の後縁部が通風路７の内壁１９または内壁１８に接近して、可動フィン５の後縁部と内壁１９または内壁１８との隙間が最少となるように、可動フィン５の大きさ、形状が形成される。
【００３２】
これにより、可動フィン５の前縁部５ｂを上側に最大角度まで振ったとき、縮流を生じさせる側と反対側の、通風路７の下側を流れる空気流を遮断して縮流部に向かう空気流を多くし、可動フィン５の前縁部５ｂを下側に振ったとき、縮流を生じさせる側と反対側の、通風路７の上側を流れる空気流を遮断して縮流部に向かう空気流を多くし、縮流部に続く変流部の変流作用を良好にしている。
【００３３】
また、可動フィン５は、そのフィン本体５ａが固定フィン１０の長手方向（左右横方向）と平行に且つその支軸６が中央横断線Ｓと平行に配置され、フィン本体５ａの回動軸として両側に突設された支軸６は、通風路７内の側壁に設けた軸受部８に軸支される。
【００３４】
さらに、図３に示すように、可動フィン５の一方の支軸６には回動操作手段２０が連結され、回動操作手段２０の操作により回動操作される。回動操作手段２０にはダイヤルノブ９がベゼル２の左部に露出して回動操作可能に設けられ、複数の歯車或いはリンクレバーを介してダイヤルノブ９と支軸６は、連係される。これにより、ダイヤルノブ９を操作して１枚の可動フィン５をその両側の支軸６を支点に上下に回動（傾動）させたとき、送風方向を上下方向に変えるようになっている。
【００３５】
なお、回動操作手段は、モータ駆動による可変風向装置に支軸６を連係させることもでき、この場合、可変風向装置の動作により、可動フィン５が回動操作され、風向を上下に変えることとなる。
【００３６】
このように、上記レジスタは、可動フィン５の前縁部５ｂを上方側の第１固定フィン１１側に振ったとき、送風時の空気流は、可動フィン５の前縁部５ｂ付近で第１固定フィン１１側に縮流された後、変流され、第１固定フィン１１のフィン部１１ａに沿った方向に向けて送風される。逆に、可動フィン５の前縁部５ｂを下方側の第２固定フィン１２側に振ったとき、送風時の空気流は、可動フィン５の前縁部５ｂ付近で第２固定フィン１２側に縮流された後、変流され、第２固定フィン１２のフィン部１２ａに沿った方向に向けて送風される構造である。
【００３７】
上記構成のレジスタは、空気吹出口３の正面方向に真直ぐ送風する場合、図４に示すように、通風路７内の可動フィン５を、通風と平行の水平方向（非傾斜状態）とする。このとき、図４に示すように、通風路７内の空気流は、水平な可動フィン５の平面と平行に空気吹出口３へと進む。そして、吹出口の手前で内壁の狭窄部１ａにより上下に僅かに狭窄されるとともに、固定フィン１０の第１固定フィン１１と第２固定フィン１２の間を通過して、さらに中央近傍に狭窄され、空気吹出口３の正面方向に真直ぐ送風される。このように、正面への送風は、内壁の狭窄部１ａと固定フィン１０によって空気流が中央に集まるように絞られ、良好な指向性で正面方向に送風が行われる。
【００３８】
送風方向を下方に変える場合、図５のように、可動フィン５の前縁部５ｂを斜め上方に向くように回動させる。このとき、可動フィン５のフィン本体５ａの後縁部は内壁１９に接近した状態となる。これにより、通風路７を流れる空気流は、図５のように、可動フィン５により上方に集められて縮流され、縮流された状態の空気流は空気吹出口３の上部に配置された２本の第１固定フィン１１の間を曲げられて通過し、空気吹出口３から第１固定フィン１１の向きである斜め下方に向けて送風される。このとき、可動フィン５の前縁部５ｂ近傍が縮流部となり、その下流側の第１固定フィン１１近傍が変流部となるが、縮流部で増した空気流の流速は変流部で低下することとなる。このため、縮流部から変流部に入り流速の低下した空気流は、第１固定フィン１１の向きに沿って良好に曲げられ、斜め下方に向けて良好な指向性で送風が行なわれる。
【００３９】
送風方向を上方に変える場合、図６のように、可動フィン５の前縁部５ｂを斜め下方に向くように回動させる。このとき、可動フィン５のフィン本体５ａの後縁部は内壁１８に接近した状態となる。これにより、通風路７を流れる空気流は、図６のように、可動フィン５により下方に集められて縮流され、縮流された状態の空気流は空気吹出口３の下部に配置された２本の第２固定フィン１２の間を曲げられて通過し、空気吹出口３から第２固定フィン１２の向きである斜め上方に向けて送風される。このとき、可動フィン５の前縁部５ｂ近傍が縮流部となり、その下流側の第２固定フィン１２近傍が変流部となるが、縮流部で増した空気流の流速は変流部で低下することとなる。このため、縮流部から変流部に入り流速の低下した空気流は、第２固定フィン１２の向きに沿って良好に曲げられ、斜め上方に向けて良好な指向性で送風が行なわれる。
【００４０】
このように、可動フィン５は、固定フィン１０の第１固定フィン１１と第２固定フィン１２から離れた上流側に配置されるので、固定フィン１０を含むケース本体１の正面形状を、平面に代えて円弧状曲面で形成することができ、レジスタ正面のデザインの自由度を向上させることができる。
【００４１】
また、第１固定フィン１１と第２固定フィン１２は、フィン部１１ａ，１２ａを略くの字に曲げて一体に形成されるので、空気吹出口３内の第１固定フィン１１、第２固定フィン１２の前縁部１１ｂ、１２ｂを正面に向けて良好な意匠性を確保しつつ、前縁部１１ｂ、１２ｂの上流側に続くフィン部１１ａ，１２ａで風向をガイドすることができ、且つ第１固定フィン１１、第２固定フィン１２の曲げ強度を向上させることができる。さらに、１枚の可動フィン５のみを設けた簡単な構造のレジスタであっても、可動フィン５を振った際、空気吹出口３の内側の固定フィン１０と可動フィン５の協働作用によって、第１固定フィン１１または第２固定フィン１２のフィン部１１ａ，１２ａの向かう方向に、指向性の良好な送風を行なうことができる。
【００４２】
なお、上記実施形態のレジスタは、空気吹出口３の正面形状を横長の長方形状とし、空気吹出口３内に複数の固定フィン１０を水平横方向に配置したが、その正面形状を９０°回転させて、空気吹出口を縦長形状とし、複数の固定フィンを垂直縦方向に配置することもできる。その場合、可動フィン及びその支軸は垂直縦方向に配置され、可動フィンを回動操作して、風向を左右に振ることとなる。
【００４３】
また、上記実施形態では、固定フィン１０の第１固定フィン１１と第２固定フィン１２の枚数は各々２枚としたが、空気吹出口の高さ（幅）に応じて、各々１枚づつとし、或いは３枚づつ、４枚づつとその枚数を増やすこともできる。
【符号の説明】
【００４４】
１      ケース本体
１ａ    狭窄部
２      ベゼル
３      空気吹出口
５      可動フィン
５ａ    フィン本体
５ｂ    前縁部
６      支軸
７      通風路
８      軸受部
９      ダイヤルノブ
１０    固定フィン
１１    第１固定フィン
１１ａ  フィン部
１１ｂ  前縁部
１２    第２固定フィン
１２ａ  フィン部
１２ｂ  前縁部
１８    内壁
１９    内壁
２０    回動操作手段
【図１】
2016013758.tif 000003
【図２】
2016013758.tif 000004
【図３】
2016013758.tif 000005
【図４】
2016013758.tif 000006
【図５】
2016013758.tif 000007
【図６】
2016013758.tif 000008